(57)【要約】【課題】検査前、或いは、検査中に被検体の体位を変化させる場合に、体位の変更を被検体に対して容易に理解できるように報知する医用画像撮影指示装置及びＸ線画像撮影装置を提供する。【解決手段】寝台４上の被検体に対して検査において必要な体位に関する情報や指示を提供する報知部５２と、寝台４上の被検体の体位を検出する体位検出部５３と、体位検出部５３によって検出された被検体の体位が指示に従ったものであるか否かを判断する判断部５４とを備える。【選択図】図３
2014171719.tif 000002
【特許請求の範囲】
【請求項１】
寝台上の被検体に対して検査において必要な体位に関する情報や指示を提供する報知部と、
前記寝台上の前記被検体の体位を検出する体位検出部と、
前記体位検出部によって検出された前記被検体の体位が前記指示に従ったものであるか否かを判断する判断部と、
を備えることを特徴とする医用画像撮影指示装置。
【請求項２】
前記報知部は、前記被検体に対して変更後の体位を示す画像を表示させる表示部を備えていることを特徴とする請求項１に記載の医用画像撮影指示装置。
【請求項３】
前記体位検出部は、前記寝台上の前記被検体の体位を撮影する撮影部と、撮影された画像を体位特定のために処理する画像処理部とを備えることを特徴とする請求項１または請求項２に記載の医用画像撮影指示装置。
【請求項４】
前記判断部は、前記体位検出部によって検出される前記被検体の体位から前記報知部による指示通りの体位に変更されていると判断した場合、前記被検体に向けて適切な体位である旨報知するべく、前記報知部にその旨表示させることを特徴とする請求項１ないし請求項３のいずれかに記載の医用画像撮影指示装置。
【請求項５】
検査中被検体が接する寝台と、
前記寝台を支持するとともに、操作者の指示に基づいて適切な位置に前記寝台を移動させる寝台支柱と、
前記寝台支柱を連結し、前記寝台支柱及び前記寝台を保持する寝台ベースと、
前記被検体に対して前記検査において必要な体位に関する情報を提供する医用画像撮影指示装置と、
を備えることを特徴とするＸ線画像撮影装置。
【請求項６】
前記医用画像撮影指示装置は、前記寝台支柱のうち、Ｘ線発生源近傍に設置されていることを特徴とする請求項５に記載のＸ線画像撮影装置。
【請求項７】
前記被検体の撮影に関して前記Ｘ線画像撮影装置に指示を出すとともに、前記Ｘ線画像撮影装置の制御を行うための指示を入力する入力部をさらに備えていることを特徴とする請求項５または請求項６に記載のＸ線画像撮影装置。
【請求項８】
前記医用画像撮影指示装置は、前記操作者による入力指示に基づき前記被検体に対して必要とされる体位を指示することを特徴とする請求項５ないし請求項７のいずれかに記載のＸ線画像撮影装置。
【請求項９】
前記医用画像撮影指示装置は、体位検出部によって検出される前記被検体の体位から報知部による指示通りの体位に変更されていると判断した場合、前記被検体に向けて適切な体位である旨報知するべく、前記報知部にその旨表示させることを特徴とする請求項５ないし請求項８のいずれかに記載のＸ線画像撮影装置。
【請求項１０】
前記医用画像撮影指示装置が、前記寝台における前記被検体の体位を検出した結果、必要とされる体位であると判断した場合には、当該判断をもって自動的に撮影を開始することを特徴とする請求項５ないし請求項９のいずれかに記載のＸ線画像撮影装置。
【発明の詳細な説明】
【技術分野】
【０００１】
本発明の実施の形態は、医用画像撮影指示装置及びＸ線画像撮影装置に関する。
【背景技術】
【０００２】
近年、被検体内部に関する情報を画像情報として取得し、表示部上に表示させて観察することのできるＸ線画像撮影装置が利用されるようになってきている。例えば、健康診断等で胃等の消化管造影検査においてＸ線画像を撮影する場合には、被検体は造影剤（バリウム）を発泡剤とともに飲み込んだ後、Ｘ線画像撮影装置の寝台に横臥する。
【０００３】
健康診断等で胃のＸ線画像を撮影する際に利用されるＸ線画像撮影装置としては、例えば、以下の特許文献１に示されているような装置が利用される。
【先行技術文献】
【特許文献】
【０００４】
【特許文献１】特開２０１０−０８２３１９号公報
【発明の概要】
【発明が解決しようとする課題】
【０００５】
しかしながら、バリウムを飲んだ後そのままの状態では撮影対象である消化管の内壁に撮影に適した状態となるようにはバリウムが付着しない。そこで、適宜被検体が自身の体を回転等させることによって、消化管の内壁に満遍なくバリウムを付着させる必要がある。このような被検体の体の回転といった、被検体の体位の変更については、撮影が開始される前に検査者（Ｘ線画像撮影装置の操作者）からの指示に従って行われる。
【０００６】
但し、操作者の指示に従って被検体が自身の体位を変更させるに当たっては、例えば、被検体が指示を聞き違えるといった何らかの事情により、被検体に対して適切な体位の変更を行わせることができないことも生じうる。
【０００７】
操作者の指示に従って適切に被検体の体位を変更させることができないと、消化管の内部に満遍なくバリウムが付着しない。このような状態で撮影を行うと、良好な医用画像を得ることができず、ひいては、撮影された医用画像から疾患を発見できず誤診の基ともなりかねない。また、検査の準備のみならず撮影の最中も適宜操作者から被検体に対して体位の変更が指示されるが、被検体の体位の変更が不十分であると、体位を適切な位置へと移動させるのに時間が掛かり、検査の遅延、検査効率の低下を招来する。
【０００８】
本発明は上記課題を解決するためになされたものであり、本発明の目的は、検査前、或いは、検査中に被検体の体位を変化させる場合に、体位の変更を被検体に対して容易に理解できるように報知する医用画像撮影指示装置及びＸ線画像撮影装置を提供することにある。
【課題を解決するための手段】
【０００９】
請求項１に記載の発明の特徴は、医用画像撮影指示装置において、寝台上の被検体に対して検査において必要な体位に関する情報や指示を提供する報知部と、寝台上の被検体の体位を検出する体位検出部と、体位検出部によって検出された被検体の体位が指示に従ったものであるか否かを判断する判断部とを備える。
【００１０】
請求項５に記載の発明の特徴は、Ｘ線画像撮影装置において、検査中被検体が接する寝台と、寝台を支持するとともに、操作者の指示に基づいて適切な位置に寝台を移動させる寝台支柱と、寝台支柱を連結し、寝台支柱及び寝台を保持する寝台ベースと、被検体に対して検査において必要な体位に関する情報を提供する医用画像撮影指示装置とを備える。
【図面の簡単な説明】
【００１１】
【図１】実施の形態におけるＸ線画像撮影装置の全体構成を示す斜視図である。
【図２】実施の形態におけるＸ線画像撮影装置の内部構成を示すブロック図である。
【図３】実施の形態における医用画像撮影指示装置の内部構成を示すブロック図である。
【図４】操作者から被検体に対する体位変更の指示を含む消化管造影検査の準備から検査終了までの流れを示すフローチャートである。
【図５】被検体に対する体位変更の指示を示す画面の一例である。
【図６】被検体に対する体位変更の指示を示す画面の一例である。
【図７】被検体に対する体位変更の指示を示す画面の一例である。
【図８】被検体に対する体位変更の適否の結果を示す画面の一例である。
【図９】被検体に対する体位変更の適否の結果を示す画面の一例である。
【図１０】操作者が消化管造影検査の最中に見る表示部に表示される画面の一例である。
【図１１】操作者が消化管造影検査の最中に見る表示部に表示される画面の一例である。
【図１２】操作者が消化管造影検査の最中に見る表示部に表示される画面の一例である。
【発明を実施するための形態】
【００１２】
以下、本発明の実施の形態について図面を参照して詳細に説明する。
【００１３】
図１は、実施の形態におけるＸ線画像撮影装置１の全体構成を示す斜視図である。Ｘ線画像撮影装置１は、寝台ベース２と、この寝台ベース２に連結される寝台支柱３と、寝台支柱３の一端に連結されるとともに、寝台支柱３によって支持される寝台４とから構成される。
【００１４】
寝台ベース２には寝台支柱３を介して寝台４が連結されて保持されている。従って、寝台ベース２が寝台支柱３を昇降させると、合わせて寝台４も昇降する。また、寝台支柱３は寝台ベース２に回転可能に連結されているため、検査の態様に合わせて図１に示すように寝台４を略垂直に立てた位置（立位）や、或いは、寝台４を床と水平となるように寝かせた位置へと回転させることができる。
【００１５】
寝台支柱３は、寝台ベース２に連結されるとともに寝台４を支持する。寝台支柱３の他端にはＸ線発生源３ａが設けられており、このＸ線発生源３ａから被検体に向けて照射されたＸ線は、本発明の実施の形態においては例えば、寝台４の内部に設けられるＸ線検出器３ｂにて検出される。なお、寝台支柱３の一端には、図１では示していないが、Ｘ線検出器３ｂが検出した被検体内部に関する情報を画像情報として得るためのカメラが設けられていても良い。
【００１６】
寝台４は、筐体４ａと、被検体が撮影時に直に接することになる天板４ｂとから構成されている。検査の際には被検体は天板４ｂに接する状態に位置し、被検体に対してＸ線がＸ線発生源３ａから照射される。この被検体が受けたＸ線を天板４ｂの背面に設けられたＸ線検出器３ｂで検出する。Ｘ線検出器３ｂが検出したＸ線に関する情報をもって当該被検体に関する医用画像が生成される。
【００１７】
天板４ｂの長手方向一端部には、寝台４が立位となった場合に被検体が足を乗せるフットレスト４ｃが設けられている。また、天板４ｂの長手方向略中間部には、例えば検査の最中に被検体が握ることのできる手摺４ｄが天板４ｂの短手方向両端に設けられている。
【００１８】
図２は、実施の形態におけるＸ線画像撮影装置１の内部構成を示すブロック図である。Ｘ線画像診断装置としては例えば、Ｘ線テレビ装置等様々な装置があるがいずれの装置であっても良い。
【００１９】
Ｘ線画像撮影装置１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力部１ｆと、表示部１ｇと、通信制御部１ｈと、記憶部１ｉと、リムーバブルディスク１ｊと、駆動部制御部１ｋとが接続されている。この駆動部制御部１ｋは、例えば、Ｘ線発生源（Ｘ線管）３ａ、Ｘ線を受光するＸ線検出器３ｂ、寝台４等の駆動部が含まれ、駆動部制御部１ｋによってその働き、動きが制御される。
【００２０】
ＣＰＵ１ａは、入力部１ｆからの入力信号に基づいてＲＯＭ１ｂからＸ線画像撮影装置１を起動するためのブートプログラムを読み出して実行し、記憶部１ｉに格納されている各種オペレーティングシステムを読み出す。またＣＰＵ１ａは、入力部１ｆや入出力インターフェイス１ｄを介して、図１において図示していないその他の外部機器からの入力信号に基づいて各種装置の制御を行う。
【００２１】
さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、データの計算、加工等、一連の処理を実現する処理装置である。
【００２２】
入力部１ｆは、Ｘ線画像撮影装置１の操作者（例えば、医師や検査技師）が各種の操作を入力するキーボード、ダイヤル等の入力デバイスにより構成されており、操作者の操作に基づいて入力信号を作成しバス１ｅを介してＣＰＵ１ａに送信される。
【００２３】
なお、入力部１ｆには、Ｘ線画像撮影装置１に直接設けられる入力部の他、Ｘ線画像撮影装置１本体が設置される検査室とは別室に設けられる、例えば遠隔操作卓といったものも含まれる。遠隔操作卓といった入力部の場合、例えば、キーボード等だけでなく専用の操作パネルが設けられており、その操作パネル上の入力デバイスを介して操作画面（後述する表示部）に対する操作を行うこともできる。例えば、消化管造影検査においては、操作者は別室で当該遠隔操作卓（入力部１ｆ）を操作して、Ｘ線画像撮影装置１を操作するとともに、寝台４上の被検体に対して、体位に関する様々な指示を出す。被検体の体位の変更については、後述するように遠隔操作卓（入力部１ｆ）から医用画像撮影指示装置５を介して指示を出す。
【００２４】
表示部１ｇは、例えば液晶ディスプレイである。この表示部１ｇは、ＣＰＵ１ａからバス１ｅを介して出力信号を受信し、例えば撮影の際や画像処理を行う際の諸条件の設定を行うにあたって必要な画像等、或いはＣＰＵ１ａの処理結果等を表示する。この表示部１ｇには、入力部１ｆと同様、上述した例えば遠隔操作卓に設けられた表示部も含まれる。
【００２５】
通信制御部１ｈは、ＬＡＮカードやモデム等の手段であり、Ｘ線画像撮影装置１をインターネットやＬＡＮ等の通信ネットワークに接続することを可能とする手段である。通信制御部１ｈを介して通信ネットワークと送受信したデータは入力信号または出力信号として、入出力インターフェイス１ｄ及びバス１ｅを介してＣＰＵ１ａに送受信される。
【００２６】
記憶部１ｉは、半導体や磁気ディスクで構成されており、ＣＰＵ１ａで実行されるプログラムやデータが記憶されている。
【００２７】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００２８】
Ｘ線画像撮影装置１は、上述した構成を採用する。そのため、操作者が入力部１ｆを操作して出した上下動を行う旨の指示に基づいて、駆動部制御部１ｋが例えば、寝台４を上下動させる。また、操作者の指示は、医用画像撮影指示装置５を介して被検体に対して伝えられ、被検体は当該医用画像撮影指示装置５からの指示に従って、要求される体位となるよう、体を動かす。
【００２９】
医用画像撮影指示装置５は、操作者の指示に基づいて、被検体がとるべき体位を指示（報知）するものである。本発明の実施の形態においては、当該医用画像撮影指示装置５は、Ｘ線画像撮影装置１とは別の装置として構成される。また、医用画像撮影指示装置５は、図１では図示されていないが、寝台支柱３の他端であって、Ｘ線発生源３ａの近傍に設けられている。但し、医用画像撮影指示装置５はＸ線画像撮影装置１を構成する１機器であっても良い。
【００３０】
図３は、実施の形態における医用画像撮影指示装置５の内部構成を示すブロック図である。医用画像撮影指示装置５は、送受信部５１と、寝台４上の被検体に対して検査において必要な体位に関する情報や指示を提供する報知部５２と、寝台４上の被検体の体位を検出する体位検出部５３とから構成される。さらに、体位検出部５３によって検出された被検体の体位が指示に従ったものであるか否かを判断する判断部５４と、これら報知部５２と体位検出部５３と判断部５４とを制御する制御部５５とを備える。
【００３１】
なお、医用画像撮影指示装置５の内部構成の詳細な働き、機能については、以下、被検体に対して行われる消化管造影検査の流れを説明する際に併せて説明を行う。
【００３２】
図４は、操作者から被検体に対する体位変更の指示を含む消化管造影検査の準備から検査終了までの流れを示すフローチャートである。当該流れは大まかに、検査の準備段階と実際の検査段階とに分けることができる。但し、いずれの段階においても被検体は操作者の指示に従って適切な体位をとるべく、体位を変更させる必要がある。そこで、ここでは準備段階及び検査段階の２つの段階をその流れに沿って説明する。
【００３３】
例えば健康診断において胃等の消化管造影検査を受診する被検体は、Ｘ線画像撮影装置１が設置されている検査室に入ると、まず、検査者であるＸ線画像撮影装置１の操作者からバリウム（造影剤）と発泡剤を受け取る。造影剤は、胃（消化管）の造影を行って適切な医用画像を撮影するために用いられるものである。被検体は造影剤と発泡剤を飲み込んで、Ｘ線画像撮影装置１のフットレスト４ｃ上に乗る。この際、被検体が寝台４に乗りやすいように、寝台４を予め図１に示すように立位の形としておいても、或いは、設置面と平行となるように寝台４を位置させておき、被検体が寝台４に昇るようにしていても良い。
【００３４】
上述したように、造影剤を飲んだだけでそのままの状態では、検査対象となる消化管の内部（内壁）に造影剤が行き渡っていることは少ないと思われる。そこで、操作者は、確実な撮影を行うべく、被検体に対して体を回転させる等、造影剤が内壁に満遍なく付着するよう体位の変更を指示する（ＳＴ１）。
【００３５】
操作者から被検体への指示は、医用画像撮影指示装置５を介して行われる。当該指示は、例えば、音声、画像、映像等、いずれの方法を用いても良い。従って、医用画像撮影指示装置５の報知部５２は、音声を流すスピーカ、或いは、画像等を表示する表示部（表示装置）というように、報知の方法によって適切な装置が採用される。
【００３６】
報知部５２が表示装置である場合は、被検体がＸ線画像撮影装置１の寝台４にあって見ることのできる場所に設けられている。報知部５２が表示装置である場合、医用画像撮影指示装置５自体にモニタとして設けていても良い。また、例えば、検査室の壁面に報知内容を表示させるような機能を備えていても良い。さらに、表示装置である報知部５２が音声を流すスピーカを備えていても良い。
【００３７】
図５ないし図７は、被検体に対する体位変更の指示を示す画面の一例である。当該画面は上述した報知部５２が表示層であって、その画面に該当する。図５においては、報知部５２である表示装置上に被検体を表わす２体の体位を示す画像が表示されている。ここでは、「現在」として仰向けの体位が示されている。従って、当該報知部５２を見ている被検体は、現在寝台４上において仰向けの状態にある。
【００３８】
この状態から、「変化後」に示されているように、被検体は体を左向きに回転させて、左横向きとなるよう指示されている。画面上は、現在の画像から変化後の画像に向けて矢印が示され、その上に「左向き」との表示がされている。被検体は、報知部５２に表示された、現在と変化後の画像を見てその指示通りに体位を変化させる。
【００３９】
なお、図５に示す画像において、変化後の体位は、仰向けから左回転をして左向きになった状態を示している。但し、実際に被検体が左向きになりその状態を俯瞰して見る（表示させる）と、表示とは逆向き（鼻が右向き）となるはずである。ここでは、あくまでも被検体に操作者からの指示を確実に理解し実行してもらうべく、実際に被検体が体位を変化させた後の向きを画面上示している。
【００４０】
つまり被検体が体を左向きに回転させてその状態で医用画像撮影指示装置５の報知部５２を見ると、被検体自身と同じ向きになった画像が表示されていることになる。そのため、体位を変更させた後、報知部５２を見て自身の体位が指示に従った適切なものであるか否か、被検体自身で確認することができる。
【００４１】
報知部５２に表示されている画像も操作者の指示に従って左側に回転させた場合には、鼻が右を向くようにその体位が表示されることになる。当然のことながら、被検体が体位を変更する際に操作者からの指示を理解し、その指示に従って確実に体位を変更させることができるのであれば、いずれの表示方法でも構わない。
【００４２】
図６は、図５同様、被検体に対する体位変更の指示を示す画面の一例であるが、表示の仕方が図５と異なる。図６では、変化後の体位が主に表示されている。但し、変化後の体位の他に、その下に現在の体位も破線で示されている。被検体が操作者の指示の下、体位を変更させる場合、単純な体位の変更もあれば、場合によっては複雑な体位の変更を行わなければならない場合も考えられる。このような場合に、図５に示すような「現在」、及び「変化後」という２つの画像のみでは、正確な体位の変更状態が伝わらない可能性がある。
【００４３】
そこで、図６に示す画面例のように、現在の体位と変化後の体位とを重ねて表示させることによって、寝台４上において被検体がどのような体位を求められているか、明確にすることができる。図６においては、さらに、「現在の体位から左を向く」といった文言での指示も合わせて表示させることによって、被検体の体位の変更における理解を助けている。この文言は、図６に示すように報知部５２の表示装置において表示させても良く，或いは、操作者から音声によって被検体に対して伝達しても良い。
【００４４】
なお、図６ではその詳細を示すことができないが、画面上、最初は現在の状態（ここでは仰向けの状態）を表示させておき、被検体の体位の変更に合わせて必要とされる体位となるまで要求される体位の変更を順次、例えば、アニメーション等で表示させることも可能である。このように被検体が体位を変更させる場合に報知部５２を用いて次に取る体位を示すことができれば、より容易に被検体は操作者の指示に従って確実に体位を変化させることができる。
【００４５】
図７も被検体に対する体位変更の指示を示す画面の一例である。ここでは、仰向けの状態にある被検体に対して、寝台４上で２回転するよう指示している画面が示されている。ここでは、回転の回数に合わせて２つの矢印が回転するように示されているとともに、文字で「２回転」、及び「現在の仰向けの状態から２回転して再び仰向けの状態に戻って下さい。」といった操作者の指示が文字化されて示されている。
【００４６】
上述したように報知部５２は、音声のみに対応していてももちろん良いが、これまで説明してきたように、適宜体位の変更を示す画像を報知部５２において示すことによって、より一層、被検体は操作者の指示に従って確実に体位を変化させることができる。
【００４７】
操作者の指示が出された被検体は、当該指示に従って、体位を変更させる。医用画像撮影指示装置５では、指示に従った体位の変化が完了したか否か、判断する（ＳＴ２）。当該判断は、医用画像撮影指示装置５における判断部５４が行うが、被検体がどのような体位にあるかを判断する際の基となる情報は、体位検出部５３において検出される。
【００４８】
寝台４上において被検体が指示に従った体位をとるべく、どのような変更を行ったか、その結果、どのような体位になったかを体位検出部５３において検出する。検出の方法は、例えば、寝台４の内部に振動センサ等が設けられており、当該振動センサ等が把握した信号を体位検出部５３において検出し、体位の変更が完了したか否かを判断する方法が考えられる。
【００４９】
本発明の実施の形態においては、体位の変更を撮影装置を用いて把握する方法を採用している。具体的には、医用画像撮影指示装置５における体位検出部５３は、撮影部５３ａと画像処理部５３ｂとから構成される。撮影部５３ａでは、寝台４上の被検体の姿を撮影し、どのような体位となっているかを記録する。画像処理部５３ｂでは、撮影部５３ａで撮影された被検体の姿を画像処理し、その体位を特定する。
【００５０】
そして特定された体位を判断部５４へと送信する。判断部５４では、特定された体位のまま、例えば、予め決められた時間被検体が動いていない、すなわち体位の変化が生じていないことをもって指示された通りに体位の変更が行われたか否かを判断する。
【００５１】
図８及び図９は、被検体に対する体位変更の適否の結果を示す画面の一例である。この画面は、医用画像撮影指示装置５における報知部５２の画面である。ここでは、被検体に対して寝台４上で２回転するよう、操作者から指示が出されていたことを前提とする。図８では、２回転を行うようにとの指示である２つの矢印を含む体位（仰向けの状態）の画像を取り囲むように大きな丸が示されている。併せて、「２回転  確認しました。」との文字も画面右下隅に示されている。これは、体位検出部５３において被検体の体位の変更を検出した後、判断部５４が被検体の体位の変更の適否を判断した結果、指示通りに変更が完了したと判断したことを示している。被検体は、報知部５２にこのような表示が成されることによって、自身が行った体位の変更が適切なものであったことを把握することができる。
【００５２】
一方図９では、体位及び２つの矢印で示される画像の上に×（バツ）が示されている。また、画像下に「回転が不十分です。やり直して下さい。」とのコメントも表示されている。これは、被検体の体位の変更を判断部５４が判断した結果、当該変更は適切ではなかったと判断したものである。この場合には、被検体は操作者の指示に従った体位の変更を行わなかったことになるため（ＳＴ２のＮＯ）、改めて指示に従って体位を変更させる。その上で、再度判断部５４における判断が成されることになる。
【００５３】
判断の結果、指示に従った体位への変更が完了したと判断できた場合には（ＳＴ２のＹＥＳ）、操作者からその他の指示（要求）が出されていないか確認する（ＳＴ３）。例えば、さらに別の体位となるようにとの操作者から被検体への指示が出されている場合には、再度ステップＳＴ１に戻って、被検体に対して指示を出すとともに、指示された体位になったか否かの確認を行う。
【００５４】
以上までが撮影前の準備段階に該当する。上述したように、準備段階では造影剤を撮影対象となる消化器の内部に満遍なく付着させるために、被検体に対して操作者からの指示通りに体位の変更を行わせる。一方、実際の検査段階においても必要とされる医用画像を撮影するために、操作者の指示に従って、被検体は様々な体位をとることになる。
【００５５】
準備が完了すると、撮影が開始される。なお、ここではＸ線画像撮影装置１において撮影開始に当たっての何らかの処理が行われるわけではなく、あくまでもこの段階から実際の検査段階に入る、ということを示している。そのため図４に示すフローチャートでは、「撮影開始」は破線で囲まれたブロック内に示されている。
【００５６】
操作者は、要求されている検査項目に合わせて、適宜被検体に対して体位の変更を指示する（ＳＴ４）。その様子は、Ｘ線画像撮影装置１が設置されている部屋とは別の部屋にいる操作者において把握される。
【００５７】
操作者は、少なくとも入力部１ｆと表示部１ｇとを備える操作卓の前に座り、Ｘ線画像撮影装置１を操作する。また、表示部１ｇや実際に被検体を見つつ、被検体に対して必要な体位を取るように指示を出す。
【００５８】
操作者は、被検体が自身が指示した体位となっていることを確認した上で（ＳＴ５のＹＥＳ）、撮影処理を行う（ＳＴ６）。なお、ここでは、操作者の指示に従った体位となっているか確認の上、操作者が必要な撮影を行うことを前提としているが、例えば、判断部５４が操作者の指示通りの体位となっているとの判断を行った場合に、Ｘ線画像撮影装置１は、自動的に撮影を行う設定としても良い。このような設定をすることによって、被検体の体位が適切であれば次々と撮影を行うことができるので、より一層の検査の効率化を図ることができる。
【００５９】
Ｘ線画像撮影装置１では、撮影対象となっている被検体に対して要求されている撮影を把握した上で、いずれの体位における撮影が終了し、いずれの体位における撮影がまだ終わっていないのかを把握する。まだ必要な医用画像の撮影が終了していない場合には、順次必要な体位での撮影を行っていく（ＳＴ７のＮＯ）。
【００６０】
図１０ないし図１２は、操作者が消化管造影検査の最中に見る表示部１ｇに表示される画面の一例である。ここでは、造影検査の対象として胃を撮影している状態を前提としている。表示部１ｇには、Ｘ線画像撮影装置１によって撮影された胃の画像が示されている。なお、図１０ないし図１２に示す画面例に示されている胃の形状はあくまでも例示、概略に過ぎない。
【００６１】
併せて表示部１ｇの画面右下には、表示部１ｇに表示されている画像を撮影した際の被検体の体位が示されている。撮影された医用画像とともに被検体の体位を表示させることによって、撮影対象となる消化管がどのような向きになっているかをすぐに確認することができる。
【００６２】
例えば、図１０に示す表示部１ｇには、被検体を仰向けにした状態で撮影された胃（消化管）が表示されている。従って、表示部１ｇの右下に被検体が仰向けになった状態が示されている。なお、図１０ないし図１２における表示部１ｇでは、撮影された胃（消化管）とその対象を撮影した際の被検体の体位のみを示しているが、この他例えば表示部１ｇには、寝台４の傾きや回転角度といったＸ線画像撮影装置１の状態を示す項目も表示させるようにしても良い。
【００６３】
図１１は、同じく、被検体に右向きの体位を取らせた状態で撮影された胃が、図１２は、被検体は仰向けの状態ではあるが、頭が下となるように寝台４を傾けて撮影した胃が示されている。このように表示部１ｇに撮影された対象のみならず、併せて被検体の体位も表示させることによって、操作者は被検体がどのような状態にあるかも一目で把握することができる。
【００６４】
撮影対象となっている被検体に対して、必要な全ての撮影が完了すると（ＳＴ７のＹＥＳ）、撮影は終了となる。なお、ここでも撮影の終了、すなわち検査の終了はＸ線画像撮影装置１の処理ではないので、図４に示すフローチャートでは破線で示している。もちろん、Ｘ線画像撮影装置１の表示部１ｇに、当該被検体に対する撮影が終了した旨の表示を表示させることは可能である。
【００６５】
以上、検査前、或いは、検査中に被検体の体位を変化させる場合に、体位の変更を被検体に対して容易に理解できるように報知する医用画像撮影指示装置及びＸ線画像撮影装置を提供することができる。
【００６６】
特に操作者が指示する体位を、例えば画像を用いて分かりやすく指示（報知）することによって、被検体も戸惑うことなく指示された体位に移行することが可能となる。結果として造影剤を撮影の対象となる消化管に満遍なく適切に付着させることができることから、良好な医用画像を得ることができる。このことは、造影剤の付着がなく、或いは足りないことに起因する医用画像上に発現していない疾患を見逃すことがなくなることから、誤診の基を減少させることにもつながる。
【００６７】
また、このような準備段階、或いは、検査段階における体位の迅速な確実な変更は、少ない時間で適切な体位に到達することができることから、迅速な検査、検査効率の向上を図ることができる。
【００６８】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００６９】
１    Ｘ線画像撮影装置
２    寝台ベース
３    寝台支柱
４    寝台
５    医用画像撮影指示装置
５１    送受信部
５２    報知部
５３    体位検出部
５４    判断部
５５    制御部
【図１】
2014171719.tif 000003
【図２】
2014171719.tif 000004
【図３】
2014171719.tif 000005
【図４】
2014171719.tif 000006
【図５】
2014171719.tif 000007
【図６】
2014171719.tif 000008
【図７】
2014171719.tif 000009
【図８】
2014171719.tif 000010
【図９】
2014171719.tif 000011
【図１０】
2014171719.tif 000012
【図１１】
2014171719.tif 000013
【図１２】
2014171719.tif 000014